(57)【要約】【課題】バーの取り換え、大径のバーと小径のバーの取り換えの作業を容易にすること。【解決手段】大径のバーを保持する場合には、第１の受部材２１と第２の受部材２２を蝶番２３を中心として開き、この第１の受部材から調整部材４を取外し、この第１の受部材間にこのバーを載置し、そして第２の受部材２２を回転させて閉じ、締結手段３の係止部３２をフック２４に係止させ、操作部３１により第２の受部材２２を第１の受部材２１の方に引き寄せると、大径のバーは第２の受部材２２と第１の受部材２１により挟持される。小径のバーを保持する場合には、調整部材４を使用すればよい。【選択図】　図３
0003098771.tif 000002
【実用新案登録請求の範囲】
【請求項１】
起立した支持手段と、この支持手段の上端に設けてあるバー保持手段と、上記バー保持手段の締結手段と、上記バー保持手段の内部に着脱可能に設けてあり小径のバー保持に使用される調整部材とからなり、
上記バー保持手段は、ヒンジ結合された第１、第２の２つの半円弧状の受部材よりなる筒状のものであり、
上記第１の受部材は、上記支持部材に水平状態で固着してあり、
上記第２の受部材は、上記第１の受部材にビンジ結合されて回転自在であり、
上記締結手段は、上記第１、第２の２つの受部材のいずれか一方に回転自在に設けてある操作部と、この操作部に回転自在に設けてあり、上記第１、第２の受部材のいずれか一方に設けてあるフックに連結可能な係止部とからなり、上記第１、第２の受部材を外部から付勢して縮径させるものであり、
上記調整部材は、半円弧状の受部と、この受部の内面に弾性部材が設けてある
ことを特徴とするバレエスタンド。
【請求項２】
請求項１において、前記締結手段は所定角度回転可能な操作部と、この操作部に回転自在に連結してあるレバー部と、このレバー部に対して摺動可能に設けてある係止部材と、上記レバー部と上記係止部材に卷回してあり、この係止部材のレバー部からの伸出に抵抗ばね力を付勢するばね部材とからなる
ことを特徴とするバレエスタンド。
【請求項３】
請求項１において、上記調整部材の受部には係合部が突設してあり、上記第１の受部材には係止部が形成してあり、上記係合部はこの係止部に着脱可能に係止されることを特徴とするバレエスタンド。
【請求項４】
請求項１において、前記半円弧状の受部材の内面に弾性部材が貼着されていることを特徴とするバレエスタンド。
【考案の詳細な説明】
【０００１】
【考案の属する技術分野】
本考案はバレエダンスの練習に使用されるスタンドに関するものである。
【０００２】
【従来の技術】
従来からバレエスタンドは所定間隔をおいて２つのスタンドを起立させ、このスタンドの上端部には円筒状のバー保持部が設けてあり、このバー保持部の一方から、例えばほぼ３メートルの長さのバーを、その一端から指し込み、他方のバー保持部にまで挿入してから止めネジを螺入して固定し、このバーの両端部が水平状態に保持されていた。
【０００３】
【考案が解決使用とする課題】
しかしこのように、３メートルの長さのバーを、その一端からバー保持部に差し込み、他方のバー保持部にまで挿入するには、バーが長いためその作業は意外と煩雑である。また、バレエの練習をする人は若年者から大人まで幅広く、この人々の掌の大きさに応じて、バーの径が５０ｍｍのもの、または６０ｍｍのものと取りかえる必要があり、その都度バーの交換をする作業も煩雑さを増加させる。さらに、バーをバー保持部に挿入したり止めネジで固定すると、バーの表面に傷をつけてしまうことにもなる。
【０００４】
そこで、本考案の目的はバーの取り換え作業が容易で、バーの装着に際してバーに傷をつけるおそれのないバレエスタンドを提供することにある。
【０００５】
【課題を解決するための手段】
本考案に係るバレエスタンドの特徴は、起立した支持手段と、この支持手段の上端に設けてあるバー保持手段と、上記バー保持手段の締結手段と、上記バー保持手段の内部に着脱可能に設けてあり小径のバー保持に使用される調整部材とからなり、上記バー保持手段は、ヒンジ結合された第１、第２の２つの半円弧状の受部材よりなる筒状のものであり、上記第１の受部材は、上記支持部材に水平状態で固着してあり、上記第２の受部材は、上記第１の受部材にビンジ結合されて回転自在であり、上記締結手段は、上記第１、第２の２つの受部材のいずれか一方に回転自在に設けてある操作部と、この操作部に回転自在に設けてあり、上記第１、第２の受部材のいずれか一方に設けてあるフックに連結可能な係止部とからなり、上記第１、第２の受部材を外部から付勢して縮径させるものであり、上記調整部材は、半円弧状の受部と、この受部の内面に弾性部材が設けてあるところにある。
【０００６】
他の特徴は、前記締結手段は所定角度回転可能な操作部と、この操作部に回転自在に連結してあるレバー部と、このレバー部に対して摺動可能に設けてある係止部材と、上記レバー部と上記係止部材に卷回してあり、この係止部材のレバー部からの伸出に抵抗ばね力を付勢するばね部材とからなるところにある。
【０００７】
さらに他の特徴は、上記調整部材の受部には係合部が突設してあり、上記第１の受部材には係止部が形成してあり、上記係合部はこの係止部に着脱可能に係止されるところにある。
【０００８】
さらに他の特徴は、前記半円弧状の受部材の内面に弾性部材が貼着されているところにある。
【０００９】
【考案の実施の形態】
以下、図面を参照して本考案の実施の態様について説明すると、図１に示すように、本考案の構成は大別すると、床に起立した支持手段１と、この支持手段の上端に設けてあるバー保持手段２と、このバー保持手段の締結手段３と、上記バー保持手段の内部に着脱可能に設けてあり小径のバー保持に使用される調整部材４とからなる。そこで、これらの構成の具体的な構造について説明する。
【００１０】
先ず、支持手段１は、図１に示すように、全体的に正面ほぼ逆Ｔ字状のもので、バレエ練習場などの床に設置してある基板１１と、この基板の中心部から起立し上端開口の支持パイプ１２と、この支持パイプの上端開口から挿入してある支持柱１３とを具備している。そして、支持パイプ１２の上半分には所定の間隔をもって複数のネジ穴１２ａが多段的に開設してあり、このネジ穴には止めネジ１４が螺入してある。また、支持柱１３の上半分には、止めネジ１４のネジ部先端が螺合する複数の係止凹部１３ａが多段的に形成してある。
【００１１】
また、バー保持手段２の具体的な構成は、図２、図３に示すように、第１、第２の２つの半円弧状の受部材２１，２２からなる筒状のもので、この両受部材の端部は蝶番２３によりヒンジ結合されている。そして、この第１の受部材２１は、図１、図２に示すように、支持部材１の支持柱１３の上端部に水平状態で固着してあり、その内部の中央部には係止部である２つの係止穴２１ａ（図３Ａ）が形成してあり、この係止穴は支持柱１３内に連通している。そして、第１の受部材２１の内面に弾性部材２１１が張設されている。
【００１２】
第２の受部材２２は、前記したように第１の受部材２１にヒンジ結合されて回転自在であり、この受部材２２が第１の受部材と当接する縁部の２箇所にはフック２４が固着してある。そして、第２の受部材２２の内面に弾性部材２２１が貼着してある。
【００１３】
締結手段３は第１、第２の受部材２１，２２を外部から付勢して縮径させるもので、その具体的な構成は、図２、図４に示すように、操作部３１が第１の受部材２１に回転自在に設けてあり、この本体部に一対の係止部３２が回転自在に設けてあるもので、この係止部３２は第２の受部材２２のフック２４に連結可能である。
【００１４】
さらに具体的に説明すると、図４に示すように、操作部３１は、第１の受部材２１の表面に固着してある支持部３３の先端の支承軸３４に所定角度回転自在に取りつけてあり、さらに、この操作部には回転軸３５を介して係止部３２が設けてあるが、この係止部３２の構成は、回転軸３５に回転自在に連結してある一対のレバー部３２１と、このレバー部３２１のそれぞれに係止部材３２２がこのレバー部に対して摺動可能に設けてある。そして、一対のレバー部３２１と係止部材３２２の外周には、それぞればね部材であるコイルばね３６が卷回してあり、このコイルばねは係止部材３２２がレバー部３２１からの伸出する動きに抵抗するためのばね力を付勢している。そして、一対の係止部材３２２間に架設してある係止軸３２３がフック２４に係止可能である。
【００１５】
なお、締結手段３の操作部３１を第２の受部材２２に回転自在に取り付け、フック２４を第１の受部材２１に設け、係止部３２をこのフックに連結可能な構成でもよい。
【００１６】
調整部材４の構成は、図３に示すように、半円弧状の受部４１と、この受部の底面には係合部である係合柱４２が突設してあり、この図３（Ｃ）に示すように、この係合柱は第１の受部材２１の係止部である係止穴２１ａに着脱可能に係止されるものであり、その内面に弾性部材４３が貼着、または塗布してある。さらに、調整部材４の底面には、２つのスペーサ４４，４４が係合柱４２，４２と同一線上に設けてあり、このスペーサが第１の受部材２１の内面に当接する。
【００１７】
そこで、本考案により大径バーＢを保持する場合には、第１の受部材２１と第２の受部材２２を蝶番２３を中心として開き、この第１の受部材から調整部材４を取外し、この第１の受部材間に大径のバーＢを載置し、そして第２の受部材２２を回転させて閉じる。この閉じた状態において、締結手段３の係止部３２の係止軸３２３をフック２４に係止させ、操作部３１を支承軸３４を中心として回転させ、第２の受部材２２を第１の受部材２１の方に引き寄せると、係止部材３２２はコイルばね３６のばね力に抗してレバー部３２１から延伸し、さらに、操作部３１を回転させて第１の受部材２１に近接させると、この第２の受部材２２は第１の受部材２１に近接した状態で保持され、図４（Ａ）の状態になる。この時、第１、第２の受部材２１，２２に貼着してある弾性部材２１１，２２１によって大径のバーＢは強固に挟持される。
【００１８】
また、大径のバーＢを小径のバーＢａに取り換える場合は、前記と逆に、操作部３１を支承軸３４を中心として開放する方向（図４Ａでは反時計方向）に回転させ、係止軸３２３をフック２４から取外し、第２の受部材２２を蝶番２３を中心として開き、大径のバーＢを取出す。そこで、調整部材４の係止柱４２を第１の受部材２１の係止穴２１ａに挿入させて設置する。そして、この調整部材４の上に小径のバーＢａを載置し、第２の受部材２２を蝶番２３を中心として回転させ、締結手段３の係止軸３２３をフック２４に係止させ、前記したように、この締結手段の操作部３１を操作することにより第２の受部材２２を第１の受け部材２１に引き寄せ、その位置を保持し、図４（Ｂ）の状態にする。この時、小径のバーＢａは第２の受部材２２の弾性部材２２１と調整部材４の弾性部材４３とにより、より強固に挟持される。
【００１９】
【考案の効果】
本考案に係るバレエスタンドは、以上の構成を有するので、バーの取り換え、大径のバーと小径のバーの取り換えの作業が容易である。また、小径のバーでも調整部材を使用することにより強固に保持され、第１、第２の受部材、調整部材のそれぞれには弾性部材が貼着してあるためバーの保持が、極めて確実に、かつより安定して保持される。さらに、バーを着脱したり固定する際にバーに傷をつけるおそれがない。
【図面の簡単な説明】
【図１】正面図である。
【図２】バー保持手段の拡大正面図である。
【図３】（Ａ）は第１、第２の受部材を開いた状態を示す平面図であり、
（Ｂ）は第１、第２の受部材を開いた状態において、調整部材を取り付ける状態をしめす正面図であり、
（Ｃ）は（Ｂ）の側面図である。
【図４】（Ａ）は大径のバーを第１、第２の受部材により挟持している状態を示す拡大断面図であり、
（Ｂ）は小径のバーを調整部材を介して第１、第２の受部材により挟持している状態を示す拡大断面図である。
【符号の説明】
１　　　支持手段
１１　　基板
１２　　支持パイプ
１２ａ　ネジ穴
１３　　支持柱
１４　　止めネジ
２　　　バー保持手段
２１　　第１の受部材
２１ａ　係止部（係止穴）
２２　　第２の受部材
２２１　弾性部材
２３　　蝶番
２４　　フック
３　　　締結手段
３１　　操作部
３２　　係止部
３２１　レバー部
３２２　係止部材
３５　　回転軸
３６　　ばね部材（コイルばね）
４　　　調整部材
４１　　受部
４２　　係合部（係合柱）
４３　　弾性部材
４４　　スペーサ
【図１】
0003098771.tif 000003
【図２】
0003098771.tif 000004
【図３】
0003098771.tif 000005
【図４】
0003098771.tif 000006